(57)【要約】      （修正有）【課題】長柄の先端に装着される各種作業具に対し、可動部が露出せず、先端との距離調節が可能で、作業具の屈伸を可能ならしめ、二種の作業動作にも対応可能なハンドルを提供する。【解決手段】ハンドル６の上部に、パイプ状の長柄１を貫通させ、下方にレバー８、アーム１３、Ｔ字プレート１５軸着する。牽引短管１６、２個を配置して筒状部内にボーデンケーブル５を緩通させ、Ｔ字プレート１５の上端に軸着する。一方ボーデンケーブルのアウターチューブを長柄内の途中で二分割し、前側５ｃを長柄先端の作業具に固定し、後側５ｂを後端部でインナーワイヤー５ａと一体化させ、先端を長柄先端の作業具と係合させる。【選択図】図１
0003140004.tif 000002
【実用新案登録請求の範囲】
【請求項１】
下部に前後へ向けた細長い開口部を有するパイプが自体内を緩嵌貫通しており、該貫通箇所のパイプ内には、上部に筒状もしくはリング状部を有し下部に板状もしくは棒状部を有する部材が２個前後に並んで配置されており、該筒状もしくはリング状部の中にボーデンケーブルが挿通されていて、さらに該板状もしくは棒状部が上記開口部を抜けて下方に伸び、上記貫通部の下に枢着されたレバーと係合した構造を持つ操作ハンドル。
【請求項２】
片側終端部でアウターチューブの端末部材インナーケーブルの端末部材に当接するかもしくは接合した構造のボーデンケーブルを具備した、請求項１の操作ハンドル。
【考案の詳細な説明】
【技術分野】
【０００１】  本考案は園芸、造園、果樹栽培等で用いられる高枝剪定鋏など、長柄の先端に装着される器具を操作するための操作ハンドルに関するものである。
【背景技術】
【０００２】  これまで、長柄の先端に装着された各種作業具を操作する装置として、特に先端部と操作部との距離調節が可能で、且つ先端部での作業具の屈伸を可能ならしめ、更に二種の作業動作にも対応可能なものとしては、実用新案登録第３１１６４３０号、第３１１７２１８号、第３１２４３６３号などの方式があったが、いずれも可動部が露出するなど安全面での難点があった。【０００３】  こうした難点を克服し、可動部が露出せず安全なものとしては実用新案登録第３１２５０００号が考案されたが、構造がやや複雑という難点があった。
【考案の開示】
【考案が解決しようとする課題】
【０００４】  斯様な状況に鑑み、長柄を用いた各種作業具用の操作ハンドルとして、構造が簡単で、可動部が露出せず、先端部と操作部との距離調節が可能で、且つ先端部での作業具の屈伸を可能ならしめ、更に二種の作業動作にも対応可能な操作ハンドルを提供する為に本考案がなされた。
【課題を解決させる為の手段】
【構成】
【０００５】  本考案のハンドル（６）は長柄（１）の後端近くに装着されて用いられ、長柄の先端には各種の作業具が装着される。ハンドルの上部にはハンドル筒状部（６ａ）があり、該ハンドル筒状部を長柄が貫通している。
【０００６】  長柄（１）は作業に適した長さのパイプで、後方寄り下側の一部に前後に向けたスリット（１ａ）が明けられており、該スリットの後端部はスペーサー（２）によって埋められ、該スペーサーはパイプエンド（３）で固定されている。長柄の内部にはボーデンケーブル（５）が挿通されている。
【０００７】  ボーデンケーブル（５）は、多数の細い鋼線を撚って作られたインナーワイヤー（５ａ）を、鋼線を螺旋状に巻いたアウターチューブ（５ｂ、５ｃ）が被包した構造にあり、比較的柔軟に湾曲させられるもので、これが長柄の先端に装着される各種作業具と係合する。このうちアウターチューブはハンドルと長柄先端との間の長柄内部で二分割されており、前側の固定アウターチューブ（５ｃ）は長柄先端の作業具直近に固定され、後側の可動アウターチューブ（５ｂ）は後端部でインナーワイヤーと一体化している。即ちインナーワイヤー（５ａ）は、先端部から長柄内の途中までは固定アウターチューブ（５ｃ）に被包され、長柄内の途中から後端までは可動アウターチューブ（５ｂ）に被包されており、可動アウターチューブの後端末にあるエンドスリーブ（５ｄ）が接続スリーブ（５ｆ）によってインナーワイヤーの端末係止部材（５ｅ）に固定されている。
長柄先端に装着される作業具にはスプリングが具備され、該作業具の可動部材並びにこれに接続するインナーワイヤー（５ａ）を復元方向に付勢する。
【０００８】  ハンドル筒状部（６ａ）の上には握りボルト（７）があって、その先端が長柄の外径部に当接している。又該ハンドル筒状部の直下には小さな角材状の回動止め（６ｂ）が取り付けられており、その上端部がスリット（１ａ）内に挿入されている。
【０００９】  ハンドル筒状部（６ａ）からは下方へ向けてグリップ（６ｂ）が伸びている。ハンドル筒状部の下方前寄りにはレバーピン（９）があって、該レバーピンにレバー（８）が軸着されており、該レバーピン部にスプリング（１０）があってレバーを反グリップ方向に付勢している。更に該レバーの上端近くの外周部に回動制限突起（８ａ）があって、これがハンドル筒状部（６ａ）の下に取付けられた凸形スプリング（１１）に当接している。
【００１０】  レバー（８）の、レバーピンよりやや外周寄りの下側にアームピン（１２）があって、該アームピンに板状のアーム（１３）が軸着されており、該アームが斜め後方に伸びた先端はＴ字をやや傾けた形の板状のＴ字プレート（１５）の胴部に軸着している。該Ｔ字プレートの下端はハンドルの内壁より突出した支軸（１４）に軸着されており、上端部は前後に向けて若干拡張し、該拡張部に２個の牽引短管（１６）の板状部（１６ｂ）の下端が、前後に並んで軸着されている。
【００１１】  ２個連装の牽引短管（１６）は、ボーデンケーブルの外径よりやや大きな内径を持つ筒状部（１６ａ）の下に短冊状の板状部（１６ｂ）が付いた形状の部材で、筒状部内面にはゴム等の弾力性素材が貼られている。該筒状部は上記長柄内にあって、該筒状部の中をボーデンケーブル（５）が緩通しており、また板状部は上記のスリット（１ａ）を抜けてハンドル内に伸び、その下端がＴ字プレート（１５）の上端部に軸着されている。
【各部品の働きと相互関係】
【００１２】  長柄（１）は頭上の枝や果実などへのアプローチを容易にすると共に、先端に装着する各種作業具と後端近くのハンドル（６）とを係合するボーデンケーブル（５）の挿通路としての役割をも担う。長柄下側のスリット（１ａ）は、牽引短管（１６）の板状部（１６ｂ）が抜けて、ハンドルとボーデンケーブルとに係合する為に明けられている。
【００１３】  スペーサー（２）は、特に製造段階で牽引短管（１６）を長柄内に納める為に長柄の後端部まで明けられたスリット（１ａ）のうち、製造後は不要となる部分を埋め、長柄の変形を防止する働きをし、パイプエンド（３）は長柄の後端部を補強すると共に、スペーサーを固定する働きをする。
【００１４】  ボーデンケーブル（５）はハンドル操作によって得られた線状駆動力を最終的に長柄先端の各種作業具に伝達する働きをする。その際、固定アウターチューブ（５ｃ）は特にカーブが急になる可能性がある長柄の先端付近並びに長柄内部でのインナーワイヤー（５ａ）の動きを案内し、可動アウターチューブ（５ｂ）は牽引短管（１６）から受けた線状駆動力を端末部でインナーワイヤーに伝達する。また接続スリーブ（５ｆ）は可動アウターチューブとインナーワイヤーとを一体化すると共に、レバー（８）が反グリップ方向に回動されて可動アウターチューブと牽引短管（１６）との係合関係が断たれた時に、該可動アウターチューブだけが徒にずれ動くのを防止する。
【００１５】  ハンドル（６）は長柄先端に装着される各種作業具を操作する駆動力の源となる。握りボルト（７）はハンドルの前後方向の動きを規制し、回動止め（６ｂ）は長柄を中心軸としたハンドルの回動を禁制すると共に、スリット（１ａ）近傍での長柄の変形を抑制し、牽引短管（１６）の動作環境を保全する。
【００１６】  レバー（８）が握られ、スプリング（１０）の付勢力以上の力でグリップ方向に引かれると、アーム（１３）が後方に押され、Ｔ字プレート（１５）の胴部を押してこれを回動させる。これに伴って、斜体Ｔ字形のＴ字プレート上端に連装された２個の牽引短管（１６）が上下にずれ合ってボーデンケーブル（５）の可動アウターチューブ（５ｂ）を挟持して後方へ牽引する。その際、牽引短管の内側に貼られた弾力性素材が、該牽引短管のずれに伴う歪みを吸収してしてアウターチューブの挟持力を高めると共に、アウターチューブの損傷を防止する。
【００１７】  ２個の牽引短管（１６）が挟持して後方へ引くのは可動アウターチューブ（５ｂ）であるが、該可動アウターチューブの端末スリーブ（５ｄ）が後端部でインナーワイヤーの端末係止部材（５ｅ）と一体化しているため、その駆動力はインナーワイヤー（５ａ）に伝達され、この動きが長柄先端部に装着される作業具を動作させる。
【００１８】  スプリング（１０）は、一旦握られたレバーが放たれた時に、これを元の姿勢に復元するが、その際回動制限突起（８ａ）が凸形スプリング（１１）に当接して復元角度を制限する。使用者が該凸形スプリング（１１）の付勢力以上の力でレバーを反グリップ方向に回動させれば、レバーは更に一段と回動する。
【００１９】  レバーが規制範囲を超えて反グリップ方向に回動されると、アーム（１３）がＴ字プレートを前方に回動させる。これに伴ってＴ字プレートの上端に軸着された２個の牽引短管（１６）の軸着位置が長柄と平行となり、２個の牽引短管が同一高さで並び、筒状部（１６ａ）は長柄と平行姿勢で長柄の底部、すなわちスリット（１ａ）部に当接して安定する。これにより牽引短管の筒状部が２個共ボーデンケーブルと平行して一直線上に並ぶため、挟持能力が消失して係合関係がなくなり、牽引短管はボーデンケーブルに沿っての摺動が可能となる。つまり、２個の牽引短管が上下にずれてボーデンケーブルを挟持している状態ではハンドルを摺動させることができないが、使用者がレバー（８）を反グリップ方向に回動させた時には、ハンドル（６）とボーデンケーブル（５）との係合関係が断たれこれにより握りボルト（７）を緩めれば、対象の枝や果実との距離や作業性に応じてハンドルの取り付け位置を長柄に沿って調節することが可能となる。
【使用方法】
【００２０】  長柄先端の作業具とハンドルとの距離を調節する場合は、一旦レバー（８）を反グリップ方向へ回動させてから、握りボルト（７）を緩めてハンドル（６）の前後位置を調節する。その際先端を上にして長柄を立てると、ボーデンケーブルが長柄内で垂下して牽引短管の摺動がよりスムースとなる。
【００２１】  レバーを通常の待機姿勢に戻し、握りボルトをしっかり締めてから、作業対象物に向けて長柄先端に装着された作業具を支え上げ、対象物に届いたら、レバーを握って作業具を動作させる。
【００２２】  レバーを放せば、スプリング（１０）及び長柄先端に装着される作業具のスプリングの付勢力とによって、レバー（８）、牽引短管（１６）、インナーワイヤー（５ａ）及び可動アウターチューブ（５ｂ）の各部材が元の姿勢に復元される。
【考案の効果】
【００２３】  この考案によって、露出した可動部がなく安全で、先端の作業具と操作部との距離調節が可能で、且つ先端作業具の屈伸が可能であり、更に二種の作業動作にも対応可能な操作ハンドルが実現することとなる。
【別実施例】
【００２４】  これまで２個の筒状部材の中にボーデンケーブルを挿通させた構造をもって説明したが、筒状部材の替りにリング状の部材を用いても同等の作用が得られる。上部にリング状部（１６ａ’）を有し下部に棒状部（１６ｂ’）を有する牽引リング（１６’）を２個用いた第２実施例を図６に示す。その他箇所の構造、働き、使用方法は第１実施例と全く同じである。
【図面の簡単な説明】
【００２５】
【図１】は本考案のハンドルの構造を示す側断面図である。
【図２】は本考案のハンドルの構造を示す正面断面図である。
【図３】は本考案のハンドルのレバーを握った時の状況を示す側断面図である。
【図４】は本考案のハンドルのレバーを反グリップ方向に回動させ、ハンドルの移動を可能ならしめた状態を示す側断面図である。
【図５】は本考案のハンドルの構造を示す、部分カットした外観斜視図である。
【図６】は筒状部材の替りにリング状部材を用いた第２実施例の構造を示す側断面図である。
【図７】は本考案のハンドルを二個連装して、把持具付き高枝剪定鋏に用いた応用例を示す外観斜視図である。
【符号の説明】
【００２６】  １：長柄、    １ａ：スリット、    ２：スペーサー、    ３：パイプエンド、    ５：ボーデンケーブル、    ５’：ボーデンケーブル、    ５ａ：インナーワイヤー、    ５ｂ：可動アウターチューブ、    ５ｂ’：可動アウターチューブ、    ５ｃ：固定アウターチューブ、    ５ｃ’：固定アウターチューブ、    ５ｄ：エンドスリーブ、    ５ｅ：端末係止部材、    ５ｆ：接続スリーブ、    ６：ハンドル、    ６’：ハンドル、    ６ａ：ハンドル筒状部、    ６ｂ：グリップ、    ６ｃ：回動止め、    ７：握りボルト、    ７’：握りボルト、    ８：レバー、    ８’：レバー、    ８ａ：回動制限突起、    ９：レバーピン、    １０：スプリング、    １１：凸形スプリング、    １２：アームピン、    １３：アーム、    １４：支軸、    １５：Ｔ字プレート、    １５’：Ｔ字プレート、    １６：牽引短管、    １６’：牽引リング、    １６ａ：筒状部、    １６ａ’：リング状部、    １６ｂ：板状部、    １６ｂ’：棒状部、    １７：フレーム、    １８：握りボルト、    １９：固定刃兼固定把持片、    ２０：可動把持片、    ２１：可動刃、    ２２：スプリング、    ２３：補強リング。
【図１】
0003140004.tif 000003
【図２】
0003140004.tif 000004
【図３】
0003140004.tif 000005
【図４】
0003140004.tif 000006
【図５】
0003140004.tif 000007
【図６】
0003140004.tif 000008
【図７】
0003140004.tif 000009